(57)【要約】【課題】製品の薄型化とメンテナンス性の向上および騒音の低減を図ることのできる負イオン発生装置を提供すること。【解決手段】給水口５から供給した水を水拡散板６により飛散させ対向壁面７に衝突させて微細水滴を発生させる微細素敵発生手段８と、微細素敵を搬送する送風手段９と水滴を大きな水滴と微細水滴に分離する気水分離手段１０と、本体４に着脱自在に装着される給水タンク１１の水を給水口５に搬送する給水ポンプ１２とを設け、水拡散板６の駆動軸１８を水平方向に設けることにより、水拡散板６を垂直方向に大型に形成することが可能となり、製品の薄型化と騒音の低減およびメンテナンス性の向上を図ることができる。【選択図】  図１
2004353918.tif 000002
【特許請求の範囲】
【請求項１】
吸込口と吹出口を有した箱状の本体と、この本体内に設けられ、給水口から供給した水を回転する円盤状の水拡散板により飛散させ対向壁面に衝突させて微細水滴を発生させる微細水滴発生手段と、この微細水滴発生手段で発生した微細水滴を搬送する送風手段と、水滴を大きな水滴と微細水滴に分離する気水分離手段と、前記本体に着脱自在に装着される給水タンクと、この給水タンクの水を前記給水口に搬送する給水ポンプとを備え、前記水拡散板の駆動軸を水平方向に設けた負イオン発生装置。
【請求項２】
送風手段を水拡散板の上流側に設け、前記水拡散板と送風手段を気水混合風路を介して本体内で分離した請求項１記載の負イオン発生装置。
【請求項３】
送風手段を回転軸が水平方向のシロッコファンにより形成した請求項１記載の負イオン発生装置。
【請求項４】
本体の略中央に、本体の側方に設けられる吸込口と連通する空間部を形成し、前記空間部に面して送風手段の吸気口を配設した請求項１記載の負イオン発生装置。
【請求項５】
給水口の対向位置に水拡散板を駆動軸に固定する袋ナット状の固定具を配設し、前記固定具の先端にＲ形状をなす水受け凸部を設けた請求項１記載の負イオン発生装置。
【請求項６】
固定具の外周に給水口から給水された水を略均等に拡散する拡散リブを設けた請求項５記載の負イオン発生装置。
【請求項７】
水拡散板を、水受け凸部を頂点とした四周に拡がる略円錐形状の後板と、この後板の前方に隙間を介して一体に設けられる前板とにより形成した請求項１記載の負イオン発生装置。
【請求項８】
水拡散板の前板と後板の間に放射線状に水ガイドリブを配設した請求項７記載の負イオン発生装置。
【請求項９】
放射線状の水ガイドリブを水拡散板の周縁部に至る途中でカットした請求項８記載の負イオン発生装置。
【請求項１０】
水拡散板の上半分を覆う対向壁面を連続する櫛歯形状とし、前記櫛歯の内面端部に連結する水逃しリブを一体に形成した請求項１記載の負イオン発生装置。
【請求項１１】
水拡散板の上方のみに金属メッシュフィルターを設けた請求項１記載の負イオン発生装置。
【請求項１２】
気水分離手段は、送風手段からの気流を微細水滴発生手段の上方から左右下方向に導き、さらにＵターンして上方に導く略Ｕ字状の通路を左右に形成した請求項１記載の負イオン発生装置。
【請求項１３】
本体側に設けられる給水口に連通する受パイプと、給水タンクに設けられ前記本体側の受パイプに着脱自在に連結される給水パイプと、この給水パイプに設けられるパッキンとを備え、給水タンクの着脱操作により、前記受パイプにパッキンを介して給水パイプを連結させる構成とした請求項１記載の負イオン発生装置。
【請求項１４】
水平風路を設けた気水混合風路を給水タンク上部に設け、前記水平風路の下部に凹形状の水溜め部と排水口を設けた請求項１記載の負イオン発生装置。
【請求項１５】
給水ポンプの給水量より大気圧下での排水量を少量とした排水口を設け、運転時は水溜め部に一定の水位を確保できる構成とした請求項１４記載の負イオン発生装置。
【請求項１６】
送風手段と微細水滴発生手段および給水ポンプを駆動制御する制御部を有し、前記制御部は運転開始時に、前記給水ポンプを前記送風手段と微細水滴発生手段の運転開始より遅らせて運転する運転開始タイマーを備えた請求項１記載の負イオン発生装置。
【請求項１７】
送風手段と微細水滴発生手段および給水ポンプを駆動制御する制御部と、着脱可能に設けられる前面パネルの着脱状態を検知するパネル検知手段を有し、前記パネル検知手段が前面パネルが外れたことを検知したとき、前記制御部は前記微細水滴発生手段および送風手段より前記給水ポンプを遅らせて停止させる遅延停止タイマーを備えてなる請求項１記載の負イオン発生装置。
【発明の詳細な説明】
【０００１】
【発明の属する技術分野】
本発明は、レナード現象を利用して空気中に負イオンを発生させる負イオン発生装置に関するものである。
【０００２】
【従来の技術】
従来、この種の負イオン発生装置は、吸水管と軸流ファンおよび気水分離器等の各種部材を縦方向に積み重ねて設けるものが知られている（例えば、特許文献１参照）。
【０００３】
以下、その負イオン発生装置について図１５を参照しながら説明する。
【０００４】
図に示すように、筒状の本体１０１の下部に設けた貯水槽１０２内の水に下端を挿入して回転により水を吸引する吸水管１０３と、この吸水管１０３で吸引した水を円周方向に飛散させるように縦軸により回転する回転板１０４と、この回転板１０４の吐出方向に面して設けた対向壁面１０５と、この対向壁面１０５への衝突で発生する負イオンを含む微細水滴を縦方向に搬送する軸流ファン１０６と、この軸流ファン１０６の下流となる上部に設けた気水分離器１０７とにより構成していた。
【０００５】
【特許文献１】
特開２００２−１１９８４４号公報（［００３１］〜［００３３］、図１）
【０００６】
【発明が解決しようとする課題】
しかしながら、前記従来の構成では、吸水管１０３と軸流ファン１０６および気水分離器１０７が縦方向に積重ねられるように設けられていることにより、製品が大型化するとともに、メンテナンス性が悪いという課題があった。また、吸水管１０３の回転により水を吸い上げるために、高速で回転させる必要があり、軸流ファン１０６および気水分離器１０７も高速で回転し、大きな騒音を発生するという課題があった。
【０００７】
本発明は、上記従来の課題を解決するもので、製品の薄形化とメンテナンス性の向上および騒音の低減化を図ることのできる負イオン発生装置を提供することを目的とする。
【０００８】
【課題を解決するための手段】
前記従来の課題を解決するために、本発明の負イオン発生装置は、吸込口と吹出口を有した箱状の本体と、この本体内に設けられ、給水口から供給した水を回転する円盤状の水拡散板により飛散させ対向壁面に衝突させて微細水滴を発生させる微細水滴発生手段と、この微細水滴発生手段で発生した微細水滴を搬送する送風手段と、水滴を大きな水滴と微細水滴に分離する気水分離手段と、前記本体に着脱自在に装着される給水タンクと、この給水タンクの水を前記給水口に搬送する給水ポンプとを備え、前記水拡散板の駆動軸を水平方向に設けたものである。
【０００９】
また、送風手段を水拡散板の上流側に設け、前記水拡散板と送風手段を気水混合風路を介して本体内で分離したものである。
【００１０】
また、送風手段を回転軸が水平方向のシロッコファンにより形成したものである。
【００１１】
また、本体の略中央に、本体の側方に設けられる吸込口と連通する空間部を形成し、前記空間部に面して送風手段の吸気口を配設したものである。
【００１２】
また、給水口の対向位置に水拡散板を駆動軸に固定する袋ナット状の固定具を配設し、前記固定具の先端にＲ形状をなす水受け凸部を設けたものである。
【００１３】
また、固定具の外周に給水口から給水された水を略均等に拡散する拡散リブを設けたものである。
【００１４】
また、水拡散板を水受け凸部を頂点とした四周に拡がる略円錐形状の後板と、この後板の前方に隙間を介して一体に設けられる前板とにより形成したものである。
【００１５】
また、拡散板の前板と後板の間に放射線状に水ガイドリブを配設したものである。
【００１６】
また、放射線状のガイドリブを水拡散板の周縁部に至る途中でカットしたものである。
【００１７】
また、水拡散板の上半分を覆う対向壁面を連続する櫛歯形状とし、前記櫛歯の内面端部を連結する水逃しリブを一体に形成したものである。
【００１８】
また、水拡散板の上方のみに金属メッシュフィルターを設けたものである。
【００１９】
また、気水分離手段は、送風手段からの気流を微細水滴発生手段の上方から左右下方向に導き、さらにＵターンして上方に導く略Ｕ字状の通路を左右に形成したものである。
【００２０】
また、本体側に設けられる給水口に連通する受パイプと、給水タンクに設けられ前記本体側の受パイプに着脱自在に連結される給水パイプと、この給水パイプに設けられるパッキンとを備え、給水タンクの着脱操作により、前記受パイプにパッキンを介して給水パイプを連結させる構成としたものである。
【００２１】
また、水平風路を設けた気水混合風路を給水タンク上部に設け、前記水平風路の下部に凹形状の水溜め部と排水口を設けたものである。
【００２２】
また、給水ポンプの給水量より大気圧下での排水量を少量とした排水口を設け、運転時は水溜め部に一定の水位を確保できる構成としたものである。
【００２３】
また、送風手段と微細水滴発生手段および給水ポンプを駆動制御する制御部を有し、前記制御部は運転開始時に前記給水ポンプを前記送風手段と微細水滴発生手段の運転開始より遅らせて運転する運転開始タイマーを備えた構成としたものである。
【００２４】
また、着脱可能に設けられる前面パネルの着脱状態を検知するパネルの検知手段を有し、前記パネル検知手段が前面パネルが外れたことを検知したとき、制御部は微細水滴発生手段および送風手段より給水ポンプを遅らせて停止させる遅延停止タイマーを備えた構成としたものである。
【００２５】
【発明の実施の形態】
請求項１に記載の発明は、給水口から供給した水を円盤状の水拡散板により飛散させ、対向壁面に衝突させて微細水滴を発生させる微細水滴発生手段と、この微細水滴発生手段で発生した微細水滴を搬送する送風手段と水滴を大きな水滴と微細水滴に分離する気水分離手段と、給水タンクの水を給水口に搬送する給水ポンプとを備え、水拡散板の駆動軸を水平方向に設けることにより、縦方向に各種部材が積み重ねられることがなくなり、水拡散板の外径を大として、垂直方向に設置すること、および低速で回転させることが可能となり、製品の薄型化および騒音の低減を図ることができ、また、水拡散板は前方より取り外しが可能となり、メンテナンス性を向上することができる。
【００２６】
請求項２に記載の発明は、送風手段を水拡散板の上流側に設け、前記水拡散板と送風手段を気水混合風路を介して本体内で分離したことにより、水で濡れる水濡れ部分と送風部を明確に分離することができ、水で汚れる部材の数量を低減することが可能となりメンテナンスが容易となる。
【００２７】
請求項３に記載の発明は、送風手段を回転軸が水平方向のシロッコファンにより形成することにより、は水平方向は小さく、垂直方向には大きく形成されることとなり、本体の薄形化を図ることができ、また、シロッコファンの径を大きくすることにより、低速回転で所定風量が得られ騒音の低減を図ることができる。
【００２８】
請求項４に記載の発明は、本体の略中央に側方の吸込口と連通する空間部を形成し、空間部に面して送風手段の吸気口を配設したことにより、本体の側方に設けた吸込口より吸込まれた空気は空間部を介して送風手段の吸気口に吸気されることとなり、空気流れの円滑化が図れるとともに、送風手段の吸気口から漏れ出る騒音は空間部で緩和され、低騒音化された状態で本体の吸込口より放散されることとなり、騒音拡散の低減化を図ることができる。
【００２９】
請求項５に記載の発明は、給水口の対向位置に水拡散板を駆動軸に固定する固定具を配設し、固定具にＲ形状をなす水受け凸部を設けたことにより、給水口から吐出された水が跳ね返ることなく水拡散板の内部にスムーズに導入され、回転する水拡散板の表面に沿うように滑らかに拡散させることができる。
【００３０】
請求項６に記載の発明は、固定具の外周に給水口から給水された水を略均等に拡散する拡散リブを設けたことにより、給水口から吐出された水が水拡散板の内部にスムーズに導かれ、より均等に分散することができ、また、駆動軸へ固定具をねじ締め固定するときに、拡散リブが滑り止めの役目を果たし、固定具の着脱が容易となりメンテナンス性が向上する。
【００３１】
請求項７に記載の発明は、水拡散板を水受け凸部を頂点とした四周に拡がる略円錐形状の後板と、後板の前方に隙間を介して一体に設けられる前板とにより形成したことにより、従来の吸水方向から放散方向へ９０度方向変更するのに比較して変換角度が緩やかとなり、水拡散板内での進路方向が外周方向に容易に変換できるとともに、給水口からの水供給方向のベクトルと水拡散板の遠心力のベクトルの合成により、周縁部での水放散速度の絶対値を大きくすることができる。
【００３２】
請求項８に記載の発明は、水拡散板の前板と後板の間に放射線状に水ガイドリブを配設したことにより、回転中の水拡散板内で、給水された水を略均等に配分して外周方向に拡散できるようになる。
【００３３】
請求項９に記載の発明は、放射線状の水ガイドリブを水拡散板の周縁部に至る途中でカットしたことにより、水ガイドリブ毎に集められた水を水拡散板内の外周側で扇形状に拡げて周縁端から略均一に水を放散することができる。
【００３４】
請求項１０に記載の発明は、水拡散板の上半分を覆う対向壁面を連続する櫛歯形状とし、櫛歯の内面端部に連結する水逃しリブを一体に形成したことにより、櫛歯形状から滴下する水滴が回転体に当って発生する異常音を防止することができる。
【００３５】
請求項１１に記載の発明は、水拡散板の上方のみに金属メッシュフィルターを設けたことにより、風路内圧損を加味して、上半分での配設で、加湿機能および気水分離機能を大幅に向上することができる。
【００３６】
請求項１２に記載の発明は、送風手段からの気流を微細水滴発生手段の上方から左右下方向に導き、さらにＵターンして上方に導く略Ｕ字状の通路を左右に形成して気水分離手段を構成したことにより、気水分離手段を簡単で洗浄を容易にできるとともに、送風手段の吹出し口から放散される騒音を本体内で遮音することができる。
【００３７】
請求項１３に記載の発明は、本体側に設けられる給水口に連通する受パイプと、給水タンクに設けられ、本体側の受パイプに着脱自在に連結される給水パイプと、給水パイプに設けられるパッキンとを備え、給水タンクの着脱操作により、受パイプにパッキンを介して給水パイプを連結させる構成としたことにより、構造的ネックとなる給水タンクの出し入れ時の水漏れを防止するとともに、給水タンクの着脱操作時に同時に給水パイプの結合分離を行うことができる。
【００３８】
請求項１４に記載の発明は、水平風路を設けた気水混合風路を給水タンク上部に設け、水平風路の下部に凹形状の水溜め部と排水口を設けたことにより、気水混合風路においては、送風手段から送風される空気と微細水滴発生手段で発生した水滴の一部が混合することとなり、気水分離と水溜め部に溜まった水分により通過する気流を加湿することができる。
【００３９】
請求項１５に記載の発明は、給水ポンプの給水量より大気圧下での排水量を少量とした排水口を設け、運転時は水溜め部に一定の水位を確保できる構成としたことにより、気水混合風路から、給水タンクへの流路構成の中で、排水口からの風の漏れをなくすとともに、貯水機能を確保し、水溜め部に常にほぼ一定水位が確保できる。
【００４０】
請求項１６に記載の発明は、送風手段と微細水滴発生手段および給水ポンプを駆動制御する制御部を有し、制御部は運転開始時に給水ポンプを送風手段と微細水滴発生手段の運転開始より遅らせて運転する運転開始タイマーを備えた構成としたことにより、運転停止後給水ポンプが惰性で運転している状態から運転を開始すると給水ポンプが正常動作しない場合があり、それを防止するため、給水ポンプの運転開始を遅らせることで、惰性運転停止後からの運転開始となり、給水ポンプは常に正常に動作することができる。
【００４１】
請求項１７に記載の発明は、着脱可能に設けられる前面パネルの着脱状態を検知するパネル検知手段を設け、パネル検知手段が前面パネルが外れたことを検知したとき、制御部は微細水滴発生手段および送風手段より給水ポンプを遅らせて停止させる遅延停止タイマーを備えたことにより、運転状態から前面パネルを外し、負イオン発生装置を掃除しようとしたとき、負イオン発生装置の停止より、給水ポンプの停止が遅れているため、給水ポンプにより供給される水が負イオン発生装置の惰性回転の負荷となり負イオン発生装置が早く停止することとなり、可動部に触れるという危険を防止することができる。
【００４２】
以下、本発明の実施例について図面を参照しながら説明する。
【００４３】
【実施例】
（実施例１）
図１〜図１０に示すように、箱状の本体４は側方に吸込口１を上面に吹出口２を設け、前面は部材を組み込めるように開口し、前面の開口には前面パネル３を着脱自在に設けている。本体４内には給水口５から供給した水を回転する円盤状の水拡散板６により飛散させ、対向壁面７に衝突させて微細水滴を発生させる微細水滴発生手段８と、微細水滴発生手段８で発生した微細水滴を搬送する送風手段９と、搬送される水滴を大きな水滴と微細水滴に分離する気水分離手段１０と、本体４に着脱自在に装着される給水タンク１１と、給水タンク１１の水を給水口５に送り込むために給水タンク１１に設けたインペラ１２ａと本体４側に設けたモータ１２ｂによりなる給水ポンプ１２を設けている。
【００４４】
送風手段９は水拡散板６の上流側に設け、水拡散板６と送風手段９を気水混合風路１３を介して本体４内で分離した構成を有している。
【００４５】
また、送風手段９は回転軸１４が水平方向のシロッコファン９ａにより形成し、本体４の略中央に本体４の側方に設けられる吸込口１と遮音材１５により形成される曲折通路を介して連通する空間部１６を形成し、空間部１６に面してシロッコファン９ａの吸気口１７を配設する。
【００４６】
給水口５の対向位置に、水拡散板６を駆動軸１８に固定する固定具２０を配設し、この固定具２０は先端にＲ形状をなす水受け凸部１９を設けた袋ナット形状を有し、固定具２０の外周には給水口５から給水された水を略均等に拡散する拡散リブ２１を形成している。
【００４７】
水拡散板６は水受け凸部１９を頂点とした四周になだらかに傾斜して拡がる略円錐形状の後板２２と、後板２２の前方に略均一の隙間２３を介して一体に設けられる前板２４とで構成されている。水拡散板６の前板２４と後板２２の隙間２３には放射線状に複数の水ガイドリブ２５を設け、この水ガイドリブ２５を水拡散板６の周縁部２６に至る途中でカットした形状とする。
【００４８】
そして、水拡散板６の上半分を覆う対向壁面７を連続する櫛歯２７の形状とし、櫛歯２７の内面端部に連続する水逃しリブ２８を一体に形成し、水拡散板６の上方のみに金属メッシュフィルター２９を設ける。
【００４９】
また、気水分離手段１０は送風手段９からの気流を微細水滴発生手段８の上方から左右下方向に導き、さらにＵターンして上方に導く略Ｕ字状の通路３０を左右に形成している。
【００５０】
また、本体４側に設けられる給水口５に連通する受パイプ３１と、給水タンク１１に設けられ本体４側の受パイプ３１に着脱自在に連結される給水パイプ３２と、給水パイプ３２に設けられるパッキン３３とを設け、給水タンク１１の着脱操作により受パイプ３１にパッキン３３を介して給水パイプ３２が嵌合し連結するように設けている。
【００５１】
水平風路３４を設けた気水混合風路１３を給水タンク１１の上部に設け、水平風路３４の下部に凹形状の水溜め部３５と水溜め部３５の側部に排水口３６を設ける。排水口３６は給水ポンプ１２の給水量より大気圧下での排水量を少量とした形状を有し、運転時は送風手段９により風圧が高まり水溜め部３５に一定の水位を確保できるように構成している。
【００５２】
上記構成において、負イオン発生装置を運転すると、シロッコファン９ａよりなる送風手段９と水拡散板６およびインペラ１２ａからなる給水ポンプ１２が駆動し、水拡散板６が回転を開始する。給水タンク１１の水は給水ポンプ１２により給水パイプ３２を介して受パイプ３１に送られ、受パイプ３１に連結されている給水口５より給水口５の対向位置に配設されている水拡散板６を固定している固定具２０に給水される。固定具２０の先端に設けた水受け凸部１９に供給された水は、固定具２０の外周に形成された拡散リブ２１により略均等に分散されて略円錐形状の水拡散板６へと送られる。水拡散板６に設けた水ガイドリブ２５に沿って放射線状に水が拡がり、カット部２５ａより外側では水拡散板６の周縁部２６に向かって扇形状に拡がり、周縁部２６では略均等に水が放散される。放散された水は対向壁面７を形成する櫛歯２７に衝突して微細水滴を含む大小の水滴が生成される。微細水滴発生手段８により生成された水滴の中で、大きい水滴の大部分は落下するか水逃しリブ２８により下方に導かれて気水混合風路１３に至る。
【００５３】
ここで微細水滴を搬送する気流について説明すると、送風手段９となるシロッコファン９ａにより本体４の側方に設けた吸込口１から取り込まれた搬送風は遮音材１５を介して空間部１６に送られ、吸気口１７より吸気された空気は気水混合風路１３を通るときにＵターンして水拡散板６の前面を上昇する。このとき微細水滴発生手段８で生成された水滴を運び、上方に設けた金属メッシュフィルター２９を通るときに、大きな水滴は金属メッシュフィルター２９に捕捉されるが、微細水滴はそのまま通過し、同時に搬送気流の湿度も上昇する。金属メッシュフィルター２９を通過した気流は、微細水滴発生手段８の上方から左右方向に導かれ、さらにＵターンして上方に導く略Ｕ字状の通路３０を通る気水分離手段１０により選別され、負イオンを含む微細水滴のみが気流に乗って吹出口２より装置外に吹き出される。
【００５４】
気水分離手段１０で分離された大きな水滴は流下して気水混合風路１３の水平風路３４に設けた凹形状の水溜め部３５に集まり、排水口３６を通り給水タンク１１に回収される。排水口３６は水溜め部３５の側方に突設するとともに、開口面積を絞り気味にして排水量を少なめにしている。
【００５５】
すなわち給水ポンプ１２の給水量より、大気圧下での排水量が少量となるように排水口３６の開口面積を設定し、送風手段９を運転すると気水混合風路１３内の気圧が高まり排水口３６の排水量がやや増加し、水溜め部３５は一定の水位が確保されることとなる。
【００５６】
気水混合風路１３を通る気流は水溜め部３５に溜る水の表面を通過するときに、湿度が高められることになる。
【００５７】
また、給水タンク１１に水を補給するときには、本体４より給水タンク１１を引き出すと、インペラ１２ａよりなる給水ポンプ１２に接続されている給水パイプ３２が本体４側に設けた受パイプ３１より抜き去られて給水パイプ３２と受パイプ３１の連結が外れ、給水タンク１１を本体４より分離して給水場所まで持ち運ぶことができる。
【００５８】
そして、給水タンク１１を本体４に装着するときに、給水タンク１１側に設けた給水パイプ３２と本体４側に設けた受けパイプ３１がパッキン３３を介して自動的に連結することができ、給水タンク１１の装着操作において水封を保つ形でパイプを接続することができる。
【００５９】
このように本発明の実施例１の負イオン発生装置によれば、給水口５から供給した水を円盤状の水拡散板６により飛散させ対向壁面７に衝突させて微細水滴を発生させる微細水滴発生手段８と、微細水滴発生手段８で発生した微細水滴を搬送する送風手段９と、水滴を大きな水滴と微細水滴に分離する気水分離手段１０と、給水タンク１１の水を給水口５に搬送する給水ポンプ１２とを備え、水拡散板６の駆動軸１８を水平方向に設けることにより、水拡散板６を大型にて垂直方向に設置すること、および低速で回転することが可能となり、製品の薄型化および騒音の低減を図ることができ、また水拡散板６は前方より取り外しが可能となり、分離点検などのメンテナンス性を向上することができる。
【００６０】
また、送風手段９を水拡散板６の上流側に設け、水拡散板６と送風手段９を気水混合風路１３を介して本体４内で分離したことにより、水滴がかかる水濡れ部分と送風部を明確に分離することができ、水で汚れる部材が少なくなり、清掃作業が容易になるとともに長寿命化を図ることができる。
【００６１】
また、送風手段９を回転軸１４が水平方向のシロッコファン９ａにより形成することにより、シロッコファン９ａの水平方向の幅を小さくすることができ、本体４を薄形化できるとともにシロッコファン９ａの外径を大きくすることにより回転数を下げて送風性能を確保でき、シロッコファン９ａで発生する騒音を低減することができる。
【００６２】
また、本体４の略中央に側方の吸込口１と連通する空間部１６を形成し、空間部１６に面して送風手段９の吸気口１７を配設したことにより、吸込口１より吸い込まれた空気は空間部１６を介して送風手段９の吸気口１７に吸気されることとなり、空気流れの円滑化が図れるとともに、送風手段９で発生した騒音は空間部１６で緩和され低騒音化された状態で放散されることとなり、送風手段９の吸気口１７を通して発生する騒音を低く抑えることができる。
【００６３】
また、給水口５の対向位置に水拡散板６を駆動軸１８に固定する固定具２０を配設し、固定具２０の先端にＲ形状をなす水受け凸部１９を設けたことにより、給水口５から吐出された水が跳ね返ることなく水拡散板６の内部にスムーズに導入され、回転する水拡散板の表面に沿うように滑らかに拡散させることができる。
【００６４】
また、固定具２０の外周に給水口５から給水された水を略均等に拡散する拡散リブ２１を設けたことにより、給水口５から吐出された水が水拡散板６の内部にスムーズに導かれ、より均等に給水された水を分散することができ、また、駆動軸へ固定具をねじ締め固定するときに拡散リブ２１が滑り止めの役目を果たし、固定具２０の着脱が容易となりメンテナンス作業が楽になる。
【００６５】
また、水拡散板６を水受け凸部１９を頂点とした四周に拡がる略円錐形状の後板２２と、後板２２の前方に隙間２３を介して一体に設けられる前板２４とにより形成したことにより、従来の吸水方向から放散方向へ９０度方向変換するのに比較して変換角度が緩やかとなり、水拡散板６内での進路方向が外周方向に容易に変換できるとともに給水口からの水供給方向のベクトルと水拡散板の遠心力のベクトルの合成により、周縁部での水放散速度の絶対値を大きくすることができる。
【００６６】
また、水拡散板６の前板２４と後板２２の間に放射線状に水ガイドリブ２５を配設したことにより、回転中の水拡散板６内で給水された水を略均等に配分して外周方向に拡散できるようにする。
【００６７】
また、放射線状の水ガイドリブ２５を水拡散板６の周縁部２６に至る途中でカットしたことにより、水ガイドリブ毎に集められた水を水拡散板内の外周側で扇形状に拡げて周縁部から略均一に水を放散することができる。
【００６８】
また、水拡散板６の上半分を覆う対向壁面７を連続する櫛歯２７形状とし、櫛歯２７の内面端部に連結する水逃しリブ２８を一体に形成したことにより、櫛歯２７から滴下する水滴が回転体に当って発生する異常音を未然に防止するとともに、櫛歯間の距離を適正に保ち、負イオン発生量を維持することができる。
【００６９】
また、水拡散板６の上方のみに金属メッシュフィルター２９を設けたことにより、風路内圧損を加味して上半分での配設で、加湿機能および気水分離機能を大幅に向上することができる。
【００７０】
また、送風手段９からの気流を微細水滴発生手段８の上方から左右下方向に導き、さらにＵターンして上方に導く略Ｕ字状の通路３０を左右に形成して気水分離手段１０を構成したことにより、気水分離手段１０を簡単で洗浄を容易にできるとともに、吹出口２から放散される騒音を本体４内で遮音することができる。
【００７１】
また、本体４側に設けられる給水口５に連通する受パイプ３１と、給水タンク１１に設けられ、本体４側の受パイプ３１に着脱自在に連結される給水パイプ３２と、給水パイプ３２に設けられるパッキン３３とを備え、給水タンク１１の着脱操作により、受パイプ３１にパッキン３３を介して給水パイプ３２を連結させる構成としたことにより、給水タンク１１の出し入れ時の水漏れを未然に防止するとともに、給水タンク１１の着脱操作時に同時に給水パイプ３２の結合分離を行うことができる。
【００７２】
また、水平風路３４を設けた気水混合風路１３を給水タンク１１の上部に設け、水平風路３４の下部に凹形状の水溜め部３５と排水口３６を設けたことにより、気水混合風路１３においては、送風手段９から送風される空気と微細水滴発生手段８で発生した水滴の一部が混合することとなり、気水分離と水溜め部３５に溜った水分により加湿される補助効果をもたらすことができる。
【００７３】
また、給水ポンプ１２の給水量より大気圧下での排水量を少量とした排水口３６を設け、運転時は風圧の作用により水溜め部に一定の水位を確保できる構成としたことにより、気水混合風路１３から、給水タンク１１への流路構成の中で排水口３６からの風の漏れをなくすとともに、貯水機能を確保し、水溜め部３５に常に略一定水位を確保することができる。
【００７４】
（実施例２）
図１１および図１２に示すように、電源３７と並列に、給水ポンプ１２Ａを駆動するポンプ駆動部３８と、送風手段９Ａを駆動する送風手段駆動部３９と、微細水滴発生手段８Ａを駆動する微細水滴発生手段駆動部４０と、ポンプ駆動部３８と送風手段駆動部３９および微細水滴発生手段４０を駆動制御する制御部４１とを設け、制御部４１には給水ポンプ１２Ａが完全に停止する時間Ｔをカウントする運転開始タイマー４２を内蔵し、制御部４１には、スイッチ入力部４３および制御部用電源４４を設けている。制御部４１は、運転開始時に運転開始タイマー４２を駆動して給水ポンプ１２Ａを送風手段９Ａと微細水滴発生手段８Ａの運転開始より遅らせて運転させるように構成する。
【００７５】
上記構成において、負イオン発生装置を運転するとき、ステップ４５でスイッチ入力部４３によりスイッチＯＮし、ステップ４６で送風手段駆動部３９がＯＮするとともに、運転開始タイマー４２のカウントがスタートされ、ステップ４７で運転開始タイマー４２が所定以上カウントアップされると、ステップ４８でポンプ駆動部３８と微細水滴発生手段駆動部４０がＯＮされる。ステップ４７で運転開始タイマー４２のカウントアップが所定以下であれば、所定以上になるまで繰返し運転開始タイマー４２のカウントは続行され、遅延は５秒程度行なわれる。
【００７６】
このように本発明の実施例２の負イオン発生装置によれば、送風手段９Ａと微細水滴発生手段８Ａおよび給水ポンプ１２Ａを駆動する制御部４１を有し、制御部４１は運転開始時に給水ポンプ１２Ａを送風手段９Ａと微細水滴発生手段８Ａの運転開始より遅らせて運転する運転開始タイマーを備えたことにより、給水ポンプ１２Ａは惰性で回転していても、完全に停止してからの運転となり、常に正常に動作することができる。
【００７７】
（実施例３）
図２、図１３および図１４に示すように、着脱可能に設けられる前面パネル５の着脱状態を検知するパネル検知手段４９と、パネル検知手段４９が前面パネル５を取り外したことを検知したときに、送風手段９Ｂを駆動する送風手段駆動部３９Ａおよび微細水滴発生手段８Ｂの微細水滴発生手段駆動部４０Ａに制御部４１Ａを介して送る駆動信号より給水ポンプ１２Ｂの給水ポンプ駆動部３８Ａに対する駆動信号を遅らせて給水ポンプ１２Ｂを停止させる遅延停止タイマー５０を設け構成する。
【００７８】
上記構成において、負イオン発生装置の掃除を行うためにスイッチ入力部４３で電気回路をＯＦＦしたのち、前面パネル５を外したときには、ステップ５１でパネル検知手段４９により前面パネル５が取り外されたことが検知される。
【００７９】
同時に遅延停止タイマー５０のカウントがスタートし、ステップ５２で制御部４１Ａにより送風手段９Ｂの送風手段駆動部３９Ａおよび微細水滴発生手段８Ｂの微細水滴発生手段駆動部４０Ａに対する通電が停止されて送風手段９Ｂおよび微細水滴発生手段８Ｂの運転が停止される。ステップ５３で遅延運転タイマー５０が所定以上カウントアップされると、ステップ５４で給水ポンプ駆動部３８Ａの通電がＯＦＦされ、給水ポンプ１２Ｂの運転は停止され、ステップ５３で遅延運転タイマー５０のカウントが所定以下であれば所定以上になるまで繰返し遅延運転タイマー５０のカウントは続行されることとなる。
【００８０】
このように本発明の実施例３の負イオン発生装置によれば、着脱可能に設けられる前面パネル５の着脱状態を検知するパネル検知手段４９を設け、パネル検知手段４９が前面パネル５が外れたことを検知したときには、微細水滴発生手段８Ｂおよび送風手段９Ｂより給水ポンプ１２Ｂを遅らせて停止させるように制御部４１Ｂに遅延停止タイマー５０を備えた構成としたことにより、給水ポンプ１２Ｂから給水される水が負荷となり微細水滴発生手段８Ｂの惰性回転が早く止まり、使用者が内部を掃除しようとしたとき、可動部に触れる危険性を未然に防止することができる。
【００８１】
【発明の効果】
以上のように本発明の負イオン発生装置によれば、吸込口と吹出口を有した箱状の本体と、この本体内に設けられ、給水口から供給した水を回転する円盤状の水拡散板により飛散させ対向壁面に衝突させて微細水滴を発生させる微細水滴発生手段と、この微細水滴発生手段で発生した微細水滴を搬送する送風手段と、水滴を大きな水滴と微細水滴に分離する気水分離手段と、前記本体に着脱自在に装着される給水タンクと、この給水タンクの水を前記給水口に搬送する給水ポンプとを備え、前記水拡散板の駆動軸を水平方向に設けたことにより、製品の薄型化と、騒音の低減およびメンテナンス性の向上を図ることのできる負イオン発生装置を提供できる。
【００８２】
また、送風手段を水拡散板の上流側に設け、前記水拡散板と送風手段を気水混合風路を介して本体内で分離したことにより、水汚れ部品の数量を低減でき、メンテナンスが容易となる。
【００８３】
また、送風手段を回転軸が水平方向のシロッコファンにより形成したことにより、製品の薄型化および騒音の低減を図ることができる。
【００８４】
また、本体の略中央に、本体の側方に設けられる吸気口と連通する空間部を形成し、前記空間部に面して送風手段の吸込口を形成したことにより、空気流れの円滑化と騒音の低減を図ることができる。
【００８５】
また、給水口の対向位置に水拡散板を駆動軸に固定する袋ナット状の固定具を配設し、前記固定具の先端にＲ形状をなす水受け凸部を設けたことにより、給水口から給水された水を回転する水拡散板にスムーズに表面に沿うように導入することができる。
【００８６】
また、固定具の外周に給水口から給水された水を略均等に拡散する拡散リブを設けたことにより、給水口から給水された水が水拡散板の内部にスムーズに導かれ、より均等に分散される。
【００８７】
また、水拡散板を水受け凸部を頂点とした四周に拡がる円錐形状の後板と、この後板の前方に隙間を介して一体に設けられる前板とにより形成したことにより、水拡散板内での水の進路方向が容易に変換でき、速度ベクトルの合成により、周縁部での水の放散速度の絶対値が大きくなり、水破砕効果を上げることができる。
【００８８】
また、水拡散板の前板と後板の間に放射線状の水ガイドリブを配設したことにより、給水された水を水拡散板上で放射方向に均等に配分することができる。
【００８９】
また、放射線状の水ガイドリブを水拡散板の周縁部に至る途中でカットしたことにより、水ガイドリブ毎に集められた水を水拡散板内の外周側で扇形状に拡げて周縁部より略均等に水放散することができる。
【００９０】
また、水拡散板の上半分を覆う対向壁面を連続する櫛歯形状とし、前記櫛歯の内面端部に連結する水逃しリブを一体に形成したことにより、櫛歯から滴下する水滴による異常音を防止し、負イオン発生量を維持することができる。
【００９１】
また、水拡散板の上方のみに金属メッシュフィルターを設けたことにより、風路内の圧損を上げることなく加湿機能および気水分離機能が大幅に向上する。
【００９２】
また、気水分離手段は、送風手段からの気流を微細水滴発生手段の上方から左右下方向に導き、さらにＵターンして上方に導く略Ｕ字状の通路を左右に形成したことにより、洗浄容易な気水分離構造が得られるとともに、吹出口への騒音の拡がりを緩和することができる。
【００９３】
また、本体側に設けられる給水口に連通する受パイプと、給水タンクに設けられる前記本体側の受パイプに着脱自在に連結される給水パイプと、この給水パイプに設けられるパッキンとを備え、給水タンクの着脱操作により、前記受パイプにパッキンを介して給水パイプを連結させる構成としたことにより、給水タンクの着脱時の水漏れを防止することができるとともに、給水タンクの着脱操作と同時に給水パイプと受パイプの結合分離ができる。
【００９４】
また、水平風路を設けた気水混合風路を、給水タンクの上部に設け、前記水平風路の下部に凹形状の水溜め部と排水口を設けたことにより、気水混合風路において、加湿および気水分離の補助効果がもたらされる。
【００９５】
また、給水ポンプの給水量より、大気圧下での排水量を少量とした排水口を設け、常に水溜め部に一定の水位を確保できるように構成したことにより、排水口からの風の漏れをなくすとともに貯水機能を確保できる。
【００９６】
また、送風手段と微細水滴発生手段および給水ポンプを駆動制御する制御部を有し、前記制御部は運転開始時に、前記給水ポンプを前記送風手段と微細水滴発生手段の運転開始より遅らせて運転する運転開始タイマーを備えた構成とすることにより、給水ポンプの惰性回転が停止してからの運転開始となり、給水ポンプを正常動作することができる。
【００９７】
また、着脱可能に設けられる前面パネルの着脱状態を検知するパネル検知手段を設け、前記パネル検知手段が前面パネルが外れたことを検知したときには、前記制御部は微細水滴発生手段および送風手段より給水ポンプを遅らせて停止させる遅延停止タイマーを備えた構成としたことにより、給水ポンプで送水され給水口より吹き出す水が微細水滴発生手段の惰性回転の負荷となり、回転を早急に停止させ、前面パネルを外し終えたときは微細水滴発生手段はほぼ停止状態となるため、危険を未然に防止することができる。
【図面の簡単な説明】
【図１】本発明の実施例１の負イオン発生装置の断面図
【図２】本発明の実施例１および実施例３の負イオン発生装置の斜視図
【図３】本発明の実施例１の負イオン発生装置の前面パネルを取り外した状態の斜視図
【図４】同負イオン発生装置の給水口と水拡散板の関係を示す断面図
【図５】（イ）同負イオン発生装置の水拡散板と対向壁面の関係を示す正面図
（ロ）同負イオン発生装置の水拡散板の水ガイドリブ付近の水の拡散を示す平面図
【図６】同負イオン発生装置の微細水滴発生手段と、気水分離手段の関係を示す断面図
【図７】同負イオン発生装置の前面パネルを取り外した状態の斜視図
【図８】同負イオン発生装置の給水パイプと受パイプの関係を示す断面図
【図９】同負イオン発生装置の水溜め部を示す断面図
【図１０】同負イオン発生装置の吸込口に対向する遮音材を示す斜視図
【図１１】本発明の実施例２の負イオン発生装置のブロック図
【図１２】同負イオン発生装置のチャート
【図１３】本発明の実施例３の負イオン発生装置のブロック図
【図１４】同負イオン発生装置のチャート
【図１５】従来の負イオン発生装置の断面図
【符号の説明】
１  吸込口
２  吹出口
４  本体
５  給水口
６  水拡散板
７  対向壁面
８  微細水滴発生手段
８Ａ  微細水滴発生手段
８Ｂ  微細水滴発生手段
９  送風手段
９Ａ  送風手段
９Ｂ  送風手段
９ａ  シロッコファン
１０  気水分離手段
１１  給水タンク
１２  給水ポンプ
１２Ａ  給水ポンプ
１２Ｂ  給水ポンプ
１３  気水混合風路
１４  回転軸
１６  空間部
１７  吸気口
１８  駆動軸
１９  水受け凸部
２０  固定具
２１  拡散リブ
２２  後板
２３  隙間
２４  前板
２５  水ガイドリブ
２６  周縁部
２７  櫛歯
２８  水逃しリブ
２９  金属メッシュフィルター
３０  通路
３１  受パイプ
３２  給水パイプ
３３  パッキン
３４  水平風路
３５  水溜め部
３６  排水口
４１  制御部
４１Ａ  制御部
４２  運転開始タイマー
４９  パネル検知手段
５０  遅延停止タイマー
【図１】
2004353918.tif 000003
【図２】
2004353918.tif 000004
【図３】
2004353918.tif 000005
【図４】
2004353918.tif 000006
【図５】
2004353918.tif 000007
【図６】
2004353918.tif 000008
【図７】
2004353918.tif 000009
【図８】
2004353918.tif 000010
【図９】
2004353918.tif 000011
【図１０】
2004353918.tif 000012
【図１１】
2004353918.tif 000013
【図１２】
2004353918.tif 000014
【図１３】
2004353918.tif 000015
【図１４】
2004353918.tif 000016
【図１５】
2004353918.tif 000017